(57)【特許請求の範囲】
【請求項１】
通信網を介して端末と接続可能なサーバーにおいて、
端末毎に仕様情報を記憶した端末仕様データーベース手段と、
アクセスしてきた端末の端末ＩＤ情報を抽出する端末ＩＤ情報抽出手段と、
前記端末ＩＤ情報から当該端末の機種情報を抽出する機種情報抽出手段と、
前記機種情報抽出手段によって抽出された機種情報およびユーザーの操作に基づいてアクセスしてきた端末から送信された機種選択情報に基づき、前記端末仕様データーベース手段から双方の機種の仕様情報を読み出す仕様読み出し手段と、
前記読み出された２つの機種の仕様情報を並べて表示するページデータを生成して前記端末へ送出する比較ページ生成送出手段と、
を備えたことを特徴とする携帯端末性能比較サーバー。
【請求項２】
前記携帯端末性能比較サーバーは、更に、ユーザーから入力される検索条件情報に基づいて前記端末仕様データーベース手段を使用して検索条件に該当する端末の機種リストを取得し、前記機種リストを含むページデータを生成して前記端末に送出する端末検索手段を備えたことを特徴とする請求項１に記載の携帯端末性能比較サーバー。
【請求項３】
前記携帯端末性能比較サーバーは、更に、アクセス情報、端末検索情報、端末選択情報を日付けと共に記録するアクセス記録手段を備えたことを特徴とする請求項１に記載の携帯端末性能比較サーバー。
【請求項４】
前記携帯端末性能比較サーバーは、更に、前記アクセス記録手段によって記録された情報を参照して端末の機種に関する各種の統計データを生成する統計データ生成手段を備えたことを特徴とする請求項３に記載の携帯端末性能比較サーバー。
【発明の詳細な説明】
【技術分野】
【０００１】
この発明は、携帯端末性能比較サーバーに関し、特にユーザーの所有する携帯端末と買い換えたい機種との性能比較が簡単にできる携帯端末性能比較サーバーに関する。
【背景技術】
【０００２】
従来、商品の性能や仕様等の情報がインターネット上のＷｅｂページにおいて公開されており、メーカー名や機能、仕様の数値などの各種の検索キーを指定して検索することも可能である。下記の特許文献１には、このような物品検索システムの一例が開示されている。
【０００３】
この物品検索システムは、ユーザーにとって使い勝手のよい物品検索システムを提供することを目的としており、ユーザーから商品の型式名の入力を受付けることで、入力された型式名に関連付けられた商品の仕様を抽出する。次に、抽出された仕様に基づいて、抽出された仕様と同等の仕様を有する他の商品を検索する。最後に、検索結果をユーザーに表示するための表示ファイルが作成される。表示ファイルでは、検索結果が、予めユーザーに指定された優先順で表示される。ユーザーは、表示画面で、入力した型式名の商品と同等の仕様を有する他の商品を、優先する順に閲覧することができる。
【先行技術文献】
【特許文献】
【０００４】
【特許文献１】特開２００３−３０２２６号公報
【発明の開示】
【発明が解決しようとする課題】
【０００５】
上記したような従来の物品検索システムを携帯電話機等の携帯端末の販売に適用した場合においては、必要な機能を備えた機種の検索は可能であるが、サイズ、重量、連続通話時間、連続待受時間、ディスプレイサイズ、ディスプレイタイプ、液晶最大表示色数などの数値や型式について、仕様に記載されている数値がどの程度良いのか、あるいは性能が従来よりもどの程度向上しているのかが判らないという問題点があった。
【０００６】
また、ユーザーが現在使用している携帯端末がすでに販売終了している場合には携帯端末の仕様情報が入手困難な場合があり、現在使用している携帯端末と購入しようと考えている新機種との機能性能が簡単には比較できないという問題点があった。
【０００７】
本発明の目的は、上記したような従来技術の課題を解決することにあり、ユーザーが現在使用している携帯端末と、購入しようと考えている新機種との機能性能が簡単に比較できる携帯端末性能比較サーバーを提供することにある。
【課題を解決するための手段】
【０００８】
本発明の携帯端末性能比較サーバーは、通信網を介して端末と接続可能なサーバーにおいて、端末毎に仕様情報を記憶した端末仕様データーベース手段と、アクセスしてきた端末の端末ＩＤ情報を抽出する端末ＩＤ情報抽出手段と、前記端末ＩＤ情報から当該端末の機種情報を抽出する機種情報抽出手段と、前記機種情報抽出手段によって抽出された機種情報およびユーザーの操作に基づいてアクセスしてきた端末から送信された機種選択情報に基づき、前記端末仕様データーベース手段から双方の機種の仕様情報を読み出す仕様読み出し手段と、前記読み出された２つの機種の仕様情報を並べて表示するページデータを生成して前記端末へ送出する比較ページ生成送出手段とを備えたことを主要な特徴とする。
【０００９】
また、前記した携帯端末性能比較サーバーにおいて、更に、ユーザーから入力される検索条件情報に基づいて前記端末仕様データーベース手段を使用して検索条件に該当する端末の機種リストを取得し、前記機種リストを含むＷｅｂページデータを生成して前記端末に送出する端末検索手段を備えた点にも特徴がある。
【００１０】
また、前記した携帯端末性能比較サーバーにおいて、更に、アクセス情報、端末検索情報、端末選択情報を日付けと共に記録するアクセス記録手段を備えた点にも特徴がある。
【００１１】
また、前記した携帯端末性能比較サーバーにおいて、更に、前記アクセス記録手段によって記録された情報を参照して端末の機種に関する各種の統計データを生成する統計データ生成手段を備えた点にも特徴がある。
【発明の効果】
【００１２】
本発明の携帯端末性能比較サーバーにおいては、以下のような効果がある。
（１）購入しようと考えている新機種を検索、選択するだけで、ユーザーが現在使用している携帯端末と、購入しようと考えている新機種との機能性能が簡単に比較できる。
（２）現在使用している携帯端末の仕様と選択機種の仕様が仕様の項目毎に並列して表示されるので、比較が容易である。
（３）利用者のアクセス、機種選択情報からマーケティングデータを抽出することができ、店舗の販売戦略やキャリアの商品開発の為の貴重なデータとして活用出来る。
（４）店員が現端末と新端末を比較してどのような機能が追加になり“売り”になるのかを判断でき、客による新機種の仕様の確認に利用できるなど、携帯端末販売店舗における販促ツールとして使える。
【図面の簡単な説明】
【００１３】
【図１】本発明の携帯端末性能比較サーバーを含むシステム全体の構成を示すブロック図である。
【図２】本発明の携帯端末性能比較サーバーにおける処理例を示すフローチャートである。
【図３】本発明の携帯端末性能比較サーバーにおいて生成されるＷｅｂページ例を示す説明図である。
【発明を実施するための最良の形態】
【００１４】
本発明の装置について、これを実施するための形態を実施例により具体的に説明する。
【実施例１】
【００１５】
図１は、本発明の携帯端末性能比較サーバーを含むシステム全体の構成を示すブロック図である。本発明の携帯端末性能比較サーバー１６は、通信網の一例であるインターネット１５に接続されている。インターネット１５はゲートウェイサーバー１２を介して携帯電話機等の通信網である複数の移動体通信網１１と接続されており、本発明の携帯端末性能比較サーバー１６はインターネットに接続されたＰＣ１７や移動体通信網１１の携帯端末１０と通信が可能である。なお、このような通信網の構成は周知である。
【００１６】
携帯端末１０は周知のＷｅｂブラウザを備え、パケット通信が可能である周知の携帯電話機あるいは携帯情報端末であるものとする。携帯端末１０はＱＲコードを読み取るカメラ機能を備えていることが望ましいが、なくても本発明は実施可能である。また、音声通信機能はなくても本発明は実施可能である。
【００１７】
本発明の携帯端末性能比較サーバー１６は、例えばインターネットと接続されたＷｅｂサーバー２０、データーベース（ＤＢ）サーバー２１、保守、管理用のＰＣである端末２２等がＬＡＮ２３に接続された構成であってもよい。各サーバー装置は市販のサーバー装置に市販のソフトウェアおよび後述する本発明の機能を実現するためのプログラムをインストールすることにより実現できる。なお、インターネット１５には一般的な端末であるＰＣ１７も接続されている。
【００１８】
図２は、本発明の携帯端末性能比較サーバーにおける処理例を示すフローチャートである。携帯端末比較サーバー１６は、Ｓ１０においては新しく発売された携帯端末の仕様情報を端末仕様ＤＢに登録する。なおサービス開始時には使用されている可能性のある携帯端末全ての機種について仕様を入力しておく。Ｓ１１においては、携帯端末比較サーバー１６は、新規に契約した店舗の店舗情報を店舗ＤＢに登録する。店舗情報には店舗固有のＵＲＬも含まれる。
【００１９】
Ｓ２０においては、携帯端末１０は、例えば携帯端末販売店舗においてユーザーによる操作に基づき、店舗に用意されている、携帯端末比較サーバー１６へアクセスするためのＵＲＬが記載されている店舗別のＱＲコード（２次元バーコード）を端末内蔵カメラによって読み取る。Ｓ２１においては、端末が内蔵するＷｅｂブラウザが自動的に起動され、読み取ったＵＲＬに基づいて携帯端末比較サーバー１６へアクセスする。なお、ＵＲＬを端末のＷｅｂブラウザに直接文字入力してもよい。
【００２０】
Ｓ２２においては、携帯端末比較サーバー１６は、携帯端末１０が送信したＵＲＬから店舗情報を、アクセスデータ（ヘッダ）から機種情報を抽出し、端末ＩＤ、機種、店舗、年月日情報等を含むアクセス情報を記録する。携帯端末１０はアクセス時に携帯端末１６固有の端末ＩＤ情報を送信するが、この端末ＩＤ情報の中にメーカー情報や機種情報が含まれており、携帯端末比較サーバー１６は、アクセスしてきた携帯端末１０の移動体通信網種別、メーカー情報、機種情報を得ることができる。
【００２１】
Ｓ２３においては、携帯端末比較サーバー１６は店舗情報と対応するＷｅｂページを生成し、携帯端末１０に送出する。このＷｅｂページには店舗お勧めの機種リストあるいは検索条件入力エリア等があってもよい。Ｓ２４においては、携帯端末１０は、Ｗｅｂブラウザによって受信したＷｅｂページを表示する。Ｓ２５においては例えばユーザーが入力したメーカー種別や各種機能の有無、数値などの検索条件に基づき、機種検索情報を送信する。
【００２２】
Ｓ２６においては、携帯端末比較サーバー１６は、受信した検索条件情報を記録すると共に、端末仕様ＤＢを用いて検索条件に該当する機種を検索する。なお、検索条件情報と前記したアクセス情報や後述する機種選択情報との関連を管理するセッション管理については、公知の任意の方法あるいは端末ＩＤによる管理を行い、各情報の関連を管理する。Ｓ２７においては端末仕様ＤＢから該当機種リスト情報を得て、該当機種リスト情報を含むＷｅｂページを生成し、携帯端末１０へ送信する。
【００２３】
Ｓ２８においては、携帯端末１０は、受信した該当機種リスト情報を含むＷｅｂページを表示する。ユーザーは機種リストを見て所望の機種を選択する操作を行う。Ｓ２９においては、ユーザーが入力した機種選択操作に基づき、選択された機種の情報を送信する。
【００２４】
Ｓ３０においては、携帯端末比較サーバー１６は、受信した機種選択情報を記録すると共に、端末仕様ＤＢからユーザーが現在使用している機種（＝アクセスしてきた携帯端末の機種）およびユーザーにより選択された機種の仕様を読み出す。Ｓ３１においては、ユーザー機種および被選択機種の仕様を左右に並べて表示する比較ページデータを生成し、送信する。ページデータは一般的なＨＴＭＬで記述されたＷｅｂページデータでもよいが、周知のＦｌａｓｈ（登録商標）で作成された画像データ（swf型式データ）であってもよい。Ｓ３２においては、携帯端末１０は、受信した比較ページを表示する。ユーザーはこの比較ページを見ることによって、被選択機種が現在の端末よりどの程度機能や性能が向上しているのかを容易に判定することができる。
【００２５】
定期的にあるいは不定期に実行されるＳ４０の処理においては、携帯端末比較サーバー１６は、例えば過去の一定期間のアクセス情報、検索条件情報、選択情報を読み出し、統計データを生成して出力する。統計データとしては、例えば総アクセス数、ユーザーの持っている端末の機種毎の割合、選択された端末の種別毎の割合などを出力してもよい。
【００２６】
また、端末アクセスデータが貯まっていくことで、どの機種がどの時期に人気があるのか、どの機種の人がどの機種を好んで選択するか、いつ発売された端末が、どれぐらいの時期で機種を交換しようと思うのかなど、ユーザー動向を分析する事が可能となる。
【００２７】
図３は、本発明の携帯端末性能比較サーバーにおいて生成されるＷｅｂページ例を示す説明図である。図３（ａ）は、図２のＳ２４あるいはＳ２９において携帯端末の画面に表示されるＷｅｂページ例である。画面には上からページのタイトル「ケータイ性能簡単比較ツール」、サービス会社名「ＡＢＣ通信株式会社」、操作方法「２、８キーで移動、決定キーで選択」、機種名３０のリスト「Ｊ−００１」「Ｋ−０１Ａ」「Ｌ−０２１」、機能検索画面へのリンクボタン３１「機能で検索」が表示されている。
【００２８】
機種名３０は、例えばアクセス当初（Ｓ２４）においては店舗あるいは通信網事業者の推奨する機種名であってもよいし、検索実行後（Ｓ２８）においては検索の結果ヒットした機種の機種名となる。ユーザーは所望の機種名あるいは検索ボタンを選択、決定する。
【００２９】
図３（ｂ）は、図３（ａ）のページにおいて、機能検索画面へのリンクボタン３１を選択、決定した場合に画面に表示されるＷｅｂページ例である。画面には上からページのタイトル、サービス会社名、操作方法、機能毎の検索キー選択ボタン３２のリスト「カメラ」「ＧＰＳ」「ワンセグチューナ」「電子マネー」が表示されている。ユーザーは必要な機能について「有」を選択し、不要な機能は「無」にして決定キーを押下する。すると、検索結果である機種名リストが表示された図３（ａ）のＷｅｂページが表示される。
【００３０】
図３（ｃ）は、図３（ａ）においてユーザーが特定の機種名を選択、決定した場合に図２のＳ３２において携帯端末の画面に表示されるＷｅｂページの例である。画面には左側にユーザーの所有している機種「Ｍ−１２３」の仕様が表示され、右側にはユーザーが選択した被選択機種「Ｋ−０１Ａ」の仕様が表示されている。
【００３１】
仕様の先頭にはそれぞれの機種の画面表示例の画像３５が表示され、その下に各機能別に仕様が表示されている。例えば「画面サイズ」という機能については、ユーザー所有機種は２３０×３２０画素であり、被選択機種は４８０×７００画素であることが並べて表示される。
【００３２】
ユーザーは購入しようと考えている新機種を検索、選択するだけで、ユーザーが現在使用している携帯端末と、購入しようと考えている新機種との機能性能が簡単に比較できる。また、携帯電話の販売店員が現端末と新端末を比較してどのような機能が追加になり“売り”になるのかを判断できるなど、携帯端末販売店舗における販促ツールとしても使える。
【実施例２】
【００３３】
実施例１はユーザーの携帯端末１０自身に比較画面を表示させるものであるが、携帯端末１０は表示装置が小さく、見難いという問題点があった。また、アクセスに通信料がかかってしまう場合もあるという問題点もあった。実施例２は、ＰＣ１７が非接触ＩＣカード機能を備えた携帯端末２５から自動的に携帯端末２５の機種情報を取得し、実施例１と同様の比較画面を表示するものである。
【００３４】
インターネット１５に接続された周知のＰＣ１７は、例えば周知のfeliCa（登録商標）等の非接触ＩＣカード用の非接触ＩＣカードリーダー１９、タッチパネル付きディスプレイ装置１８およびこれらを制御するアプリケーションプログラム（以下アプリと記す）を備えている。ＰＣ１７を備えた携帯端末の販売店において、ユーザーの携帯端末２５を非接触ＩＣカードリーダー１９にかざすと、ＰＣ１７のアプリは非接触ＩＣカードリーダー１９を介して携帯端末２５から機種情報を読み出す。
【００３５】
その後は、アプリが、例えばパラメータとして機種情報を添付して携帯端末比較サーバー１６にアクセスする。携帯端末比較サーバー１６においては、図２のＳ２２において、アクセスが携帯端末かＰＣか（移動体通信網１１からのアクセスか否か）を判定し、ＰＣ１７からのアクセスにおいては添付されている機種情報を取得し、その後は実施例１の携帯端末１０からのアクセスと同様に処理を行う。但し、サーバーからはＰＣ１７の広い画面と対応したページデータが送信される。
【００３６】
実施例２においてはユーザーの携帯端末２５を非接触ＩＣカードリーダー１９にかざすだけでよいので、機種情報を入力する必要がなく、面倒な操作が不要である。また、実施例２においてはＰＣ１７のディスプレイ装置を使用するので、多くの情報を表示可能であり、同時に３機種以上の仕様を表示することも可能である。また、タッチパネル付きディスプレイ装置を使用することにより、選択操作も容易となる。
【００３７】
以上、実施例を開示したが、本発明には以下に示すような変形例も考えられる。実施例においては画面を左右に分けて、現行機種と新機種の仕様を左右に並べて配置する例を開示したが、例えば現行機種と新機種の仕様を上下に分けて配置してもよく、配置の仕方は任意である。また、新機種を２つ以上選択し、現行機種と合わせて３機種以上を同時に表示するようにしてもよい。更に、新機種を２つ以上選択し、新機種同士を並べて表示するようにしてもよい。
【産業上の利用可能性】
【００３８】
本発明の携帯端末性能比較サーバーは、アクセスしてきた機器の機種が自動的に判明するような任意のネットワーク接続機器の性能機能比較に適用可能である。
【符号の説明】
【００３９】
１０…携帯端末
１１…移動体通信網
１２…ゲートウェイ
１５…インターネット
１６…性能比較サーバー
１７…ＰＣ
２０…Ｗｅｂサーバー
２１…ＤＢサーバー
２２…端末
２３…ＬＡＮ
【図１】
0005403684.tif 000002
【図２】
0005403684.tif 000003
【図３】
0005403684.tif 000004